(57)【要約】      （修正有）【課題】熱機関や燃焼機器の燃料消費量増大に伴う、大気汚染の問題と価格上昇に対する燃料の節約。熱機関や燃焼機器の排気利用による排気の促進。【解決手段】排気効率の向上を図るため、外気を利用して、遠心式の排気扇を回転排気扇４として設け、排気速度を加速させ、排気を促進することにより、燃料の節減を図ることを特徴とする。【選択図】図１
2018159373.tif 000002
【特許請求の範囲】
【請求項１】
排気管の後端部の所定の位置に中心軸を有して回転する遠心式の排気扇を回転排気扇として設け、回転排気扇の下流に外気の風圧を受けて回転する複数の風受け羽から成る風回転扇を設け、風受け羽の外周には風扇外周枠が設けられ、風扇外周枠や風受け羽の外周の所定の位置に風扇磁石か風扇コイルを装着した風回転扇を中心軸に連結固定することを特徴とする排気促進装置。
【請求項２】
風回転扇の構造は、一枚の底板の下流側上面に風受け羽を複数個付けて風回転扇とし、底板の外周や風受け羽の端部や風扇外周枠の所定の位置に風扇磁石または風扇コイルを装着することを特徴とする排気促進装置。
【請求項３】
風回転扇の外周には所定の間隙を置いて環状形状の覆輪環を設け、該覆輪環の構造は風回転扇の風扇外周枠外周端と対向する面を覆輪環内側面とし、該覆輪環内側面には覆輪環磁石または覆輪環コイルを装着することを特徴とする排気促進装置。
【請求項４】
覆輪環内側面の反対面側に風回転扇の全周を覆ったり、露出したりする所定の厚みと幅とを有する風圧制御環を設け、外気の風圧の強弱に応じて回転する風回転扇の回転速度に応じて風圧制御環を覆輪環及び風回転扇を所定の位置迄隠蔽移動させることを特徴とする排気促進装置。
【請求項５】
覆輪環及び風回転扇を覆う全覆の外周面の所定の位置に方向舵を取付け、全覆の外周面の方向舵の反対側の外周面の所定の面積を開口して外気取入口とし、方向舵の側の外周面の所定の面積を外気排出口（３Ｆ）として開口し、外気取入口に扉を取付けて風圧に応じて開閉動作をさせることを特徴とする排気促進装置。
【発明の詳細な説明】
【技術分野】
【０００１】
熱機関や燃焼機器の排気及び外気を利用する排気促進装置に関する。
【背景技術】
【０００２】
本発明は熱機関や燃焼機器の熱効率の向上に関する。
従来例の問題点消音器兼用で装置自体が大きい、高価、既設装置と交換が必要。
【先行技術文献】
【特許文献】
【０００３】
特公開２００１―２３４７４２
特公開２００５―０１６４９９
特開平０５−２５６１４０
特開平０８−７４５５７
特開平１０−１１０６１２
特開平１０―２３８３４２
【発明の概要】
【発明が解決しようとする課題】
【０００４】
従来の発明、排気促進装置は以下の欠点があった。消音機兼用で大きく、製作面倒、結果、高価になり、そして既設の装置と交換しなければならなかった。本発明は前記の発明に対し、内燃、外燃機関を問わず既存設備に直接後付けや交換が可能であり、小型安価、製作容易、取付を簡単にした。
【課題を解決するための手段】
【０００５】
排気管（１）の後端部の所定の位置に中心軸（５）を有して回転する遠心式の排気扇を回転排気扇（４）として設け、回転排気扇（４）の下流に外気の風圧や風力を受けて回転する複数の風受け羽（２Ａ）から成る風回転扇（２）を設け、風受け羽（２Ａ）の外周には風扇外周枠（２Ｂ）が設けられ、風扇外周枠（２Ｂ）や風受け羽（２Ａ）の外周の所定の位置に風扇磁石（２ＢA）か風扇コイル（２ＢＤ）を装着した風回転扇（２）を中心軸（５）に連結固定することを特徴とする。
【０００６】
風回転扇（２）の構造は、一枚の底板（８）の下流側上面に風受け羽（２Ａ）を複数個付けて風回転扇（２）とし、底板（８）の外周や風受け羽（２Ａ）の端部や風扇外周枠（２Ｂ）の所定の位置に風扇磁石（２ＢA）や風扇コイル（２ＢＤ）を装着することを特徴とする。
【０００７】
風回転扇（２）の外周には所定の間隙を置いて環状形状の覆輪環（３）を設け、該覆輪環（３）の構造は風回転扇（２）の風扇外周枠（２Ｂ）外周端と対向する面を覆輪環内側面（３ＡＡ）とし、該覆輪環内側面（３ＡＡ）には覆輪環磁石（３ＢＡ）や覆輪環コイル（３ＢＤ）を装着することを特徴とする。
【０００８】
覆輪環内側面（３ＡＡ）の反対面側に風回転扇（２）の全周を覆ったり、露出したりする風圧制御環（３ＢＦ）を設け、外気の風圧の強弱に応じて回転する風回転扇（２）の回転速度に応じて風圧制御環（３ＢＦ）を覆輪環（３）及び風回転扇（２）を所定の位置迄隠蔽移動させることを特徴とする。
【０００９】
覆輪環（３）及び風回転扇（２）を覆う全覆（３Ｃ）の外周面の所定の位置に方向舵（７）を取付け、全覆（３Ｃ）の外周面の方向舵（７）の反対側の所定の面積を開口して一つ以上の外気取入口（３Ｅ）を設け、方向舵（７）の側の所定の面積を外気排出口（３Ｆ）として開口し、外気取入口（３Ｅ）に必要数の扉（３ＥＡ）を取付けて風圧や風力に応じて開閉動作をさせることを特徴とする。
【発明の効果】
【００１０】
熱機関の排気抵抗を軽減させ、且つ冷却による排気の促進及び消音効果を持たせ、出力及び燃費を向上させる。
【図面の簡単な説明】
【００１１】
【図１】本発明の排気促進装置の立体斜視図を示す。
【図２】本発明の排気促進装置の正面断面図を示す。
【図３】本発明の排気促進装置の板状の風受け羽（２Ａ）の立体図を示す。
【図４】本発明の排気促進装置の風回転扇の底板（８）に椀状の風受け羽（２Ａ）を設けた立体図を示す。
【図５】本発明の覆輪環（３）の立体斜視図を示す。
【図６】本発明の風圧制御の風圧制御環（３ＢＦ）の立体斜視図を示す。
【図７】本発明の風圧制御の全覆（３Ｃ）に観音開きの扉（３ＥＡ）を装着した立体斜視図を示す。
【図８】本発明の風圧制御の全覆（３Ｃ）に扉２（３ＥＢ）を装着した立体斜視図を示す。
【図９】本発明の排気促進装置の設置参考図であり、（ａ）は船舶用、建設機械用、外燃機関用、（ｂ）は排気管への取付け図、（ｃ）は風圧制御環や全覆（３Ｃ）の扉を動作させるための機械的、電気的稼働制御図を示す。
【発明を実施するための形態】
【００１２】
本発明は、内燃、外燃機関を問わず既存設備に直接後付けが可能であり、小型安価、製作容易で消音器への取付を容易にした。
【実施例】
【００１３】
請求項１に対する説明をする。本発明は外気を利用して排気を促進する装置である。構造は排気管の後端部の所定の位置に中空の中心軸（５）を有する遠心式の回転扇を回転排気扇（４）として設け、最大直径部分を排気管の後端部より下流に露出させて排気排出口（１Ａ）とし、ここから排気する。回転排気扇（４）の下流端部の上面には遠心羽（４Ｂ）を付け、回転排気扇（４）の下流端部面から所定の距離空間を設けて距離空間（４Ａ）とし、空間内には変速機（１７）を設置し、風回転扇（２）の回転速度に応じて、回転排気扇（４）の回転速度を定速回転に近づける。外気の流れと平行して回転する風回転扇（２）を中心軸に連結固定して、回転排気扇（４）を同一回転させる。
【００１４】
請求項１に対する説明をする。外気の風圧や風力を受けて回転する風回転扇（２）の構造は複数個の風受け羽（２Ａ）を備え、回転排気扇（４）の下流端部面との間に生じた該距離空間（４Ａ）内に、中心部に所定の大きさの外気通過口（４ＣＡ）を有して独立した遮熱板（４Ｃ）を、外気通過口（４ＣＡ）を中心軸（５）に通して設け、外気通過口（４ＣＡ）や中空の中心軸（５）に設けられた冷気噴出孔（５Ｂ）を外気通過口（４ＣＡ）よりも上流側に設け、遠心羽（４Ｂ）により外気を回転排気扇（４）の下流端部面と遮熱板（４Ｃ）との間に導いて回転排気扇（４）を冷却し、覆輪環（３）や風回転扇（２）への伝熱を軽減する。
【００１５】
請求項１に対する説明をする。風回転扇（２）の風受け羽（２Ａ）の構造は、外気が回転扇に平行して流れる場合は椀状や板状をなし、椀状にした場合は風下側を流線型や尖状にし、板状にした場合は外周側から所定の距離を風上側へ曲げるたり又中央部を凹ませる等の加工をする。風受け羽（２Ａ）の外周には必要数の風扇外周枠（２Ｂ）が設けられ、風扇外周枠（２Ｂ）や風受け羽（２Ａ）の外周の所定の位置に風扇磁石（２ＢA）か風扇コイル（２ＢＤ）が装着され通電励磁により下記の請求項３と相俟って発電機や電動機、または両用にする。
【００１６】
請求項２に対する説明をする。風回転扇（２）の構造は、一枚の底板（８）の下流側上面に風受け羽（２Ａ）を複数個付けて風回転扇（２）とし、底板（８）の外周や風受け羽（２Ａ）の外周端や風扇外周枠（２Ｂ）の所定の位置に風扇磁石（２ＢA）や風扇コイル（２ＢＤ）を装着し下記の請求項３と相俟って発電機や電動機、両用にする。底板（８）の下流上面に複数の風受け羽（２Ａ）を取付けた場合も風回転扇（２）と回転排気扇（４）を強制的に冷却する為に風回転扇（２）の中心軸（５）を中空にし、最下流端部を開孔して外気を吸入する冷気吸入孔（５Ａ）とし冷気吸入孔（５Ａ）から吸込んだ外気で回転排気扇（４）を冷却する為、中心軸（５）の所定の位置に吸入した外気を取出す複数個の冷気噴出孔（５Ｂ）を設け、回転排気扇（４）の下流端部の上面に遠心羽（４Ｂ）を必要数取付け、遠心力により遮熱板（４Ｃ）の外気通過口（４ＣＡ）や中心軸（５）の所定の位置にある冷気噴出孔（５Ｂ）から噴出する外気を導入し、風扇磁石（２ＢA）や風扇コイル（２Ｄ）への伝熱を軽減させる。
【００１７】
請求項３に対する説明をする。風回転扇（２）の外周には所定の間隙を置いて環状形状の覆輪環（３）を必要数設ける。該覆輪環（３）の構造は風回転扇（２）の風扇外周枠（２Ｂ）外周端と対向する面を覆輪環内側面（３ＡＡ）とし、該覆輪環内側面（３ＡＡ）には覆輪環磁石（３ＢＡ）か覆輪環コイル（３ＢＤ）を装着し、風圧や風力が低く風回転扇（２）が所定の回転数を得られない場合、通電励磁により電動機にし、風圧が高く風回転扇（２）が過回転になる場合、風扇磁石（２ＢA）にも通電励磁し発電機として用い、電動機としても使える両用にする。
【００１８】
請求項４に対する説明をする。覆輪環内側面（３ＡＡ）の反対面側に独立した風圧制御環（３ＢＦ）を設け、所定の厚みと幅と面積とを持たせ、風圧や風力の強弱に応じて風回転扇（２）を覆ったり、露出したり、開放したり閉鎖したり等、排気の上流側や下流側へ風回転扇（２）を包む様に所定の距離を移動動作させる。風圧制御環（３ＢＦ）の内周面か外周面か、覆輪環（３）の覆輪環支持材（３ＡＢ）の何れかに１個ずつ平板歯棒（１３Ｂ）を鉛直方向に取付けるか、複数の覆輪環（３）を連結固定する覆輪環支持材（３ＡＢ）の外面と風圧制御環（３ＢＦ）の内面の何れかに誘軌道（３ＡＣ）を付けるかして風圧制御環（３ＢＦ）が横方向に動かなくし、平板歯棒（１３Ｂ）を風圧制御環（３ＢＦ）の所定の位置に複数取付け、歯面に可逆電動機（１３）に円形歯車（１３Ａ）を付けて噛み合わせ、風圧や風力を感知する器具を用いて風回転扇（２）の回転速度に応じて可逆電動機（１３）を動作させ機械的、電気的に覆輪環（３）及び風回転扇（２）の所定の位置迄包み隠す移動動作をさせる。
【００１９】
更に風圧制御環（３ＢＦ）の所定の位置に複数の開口部を設け、開口部を開閉する扉（３ＥＡ）を開口部の同数を開口部の所定の位置に取付け、バネを付けて風圧制御環（３ＢＦ）と扉（３ＥＡ）とを連結し、風圧や風力が所定の圧力に達した場合、扉（３ＥＡ）が締り、風圧が低下した場合はバネの力で引き戻して定位置に戻る機械的動作も加える。
【００２０】
請求項５に対する説明をする。風回転扇（２）が、下流上面から見て右回転とした場合、中心線を挟んで全覆（３Ｃ）の左半分外を覆輪環（３）と共に固定して、覆輪環（３）及び風回転扇（２）の全面積を覆う独立した全覆（３Ｃ）を設け、全覆（３Ｃ）の中心線上の外周面の所定の位置に方向舵（７）を取付け、方向舵（７）の反対側の外周面に、中心線から偏芯させて、右回転なら右側の所定の面積を開口して外気取入口（３Ｅ）とし、方向舵（７）の側の外周面の所定の面積を、中心線から偏芯させて、右側を、外気を吐き出す外気排出口（３Ｆ）として開口し、中心線状の所定の位置に設けられた方向舵（７）により外気取入口（３Ｅ）が常に風上に向くようにする。
【００２１】
請求項５に対する説明をする。風回転扇（２）が、下流上面から見て右回転とした場合、中心線を挟んで全覆（３Ｃ）の左半分外を覆輪環（３）と共に固定して、全覆（３Ｃ）の外気取入口（３Ｅ）の所定の位置に外気取入口（３Ｅ）を開閉する、中央から左右に開く観音開きの扉（３ＥＡ）か片開きにして任意の数を設けて風圧や風力の強弱に応じて風回転扇（２）の回転を制御するべく弱い時は全開にし、強い時は扉（３ＥＡ）を動作させて外気取入口（３Ｅ）の面積を増減させて、風回転扇（２）の回転を電気的、機械的に制御する。電気的に動作させる場合はピトー管を所定の位置に取付け、全覆（３Ｃ）の外気取入口（３Ｅ）の近傍に可逆電動機（１３）を設けて、機械的に扉（３ＥＡ）を開閉動作させる。
【００２２】
風回転扇（２）が、下流上面から見て右回転とした場合、中心線を挟んで全覆（３Ｃ）の左半分外を覆輪環（３）と共に固定して、風回転扇（２）の下流上面及び上流下面及び外周面等、中心線から左側面を覆い、更に右半分の下流上面及び上流下面を全覆（３Ｃ）で覆い、全覆（３Ｃ）約右半分の外周面のみを露出させて、全覆（３Ｃ）の露出した右半分の外周に軌道（３Ｄ）を必要数設け、扉２（３ＥＢ）を軌道（３Ｄ）で挟んで引き戸とし、扉２（３ＥＢ）を、風圧や風力の変化に応じて移動させて、外気取入口（３Ｅ）となる露出した外周面の必要面積を増減させ、往復動作を機械的、電気的に行う。可逆電動機（１３）に小口径の円形歯車（１３Ａ）を装着し、扉２（３ＥＢ）の所定の位置に平板歯棒（１３Ｂ）を付けて、円形歯車（１３Ａ）を噛み合わせて回転させ、扉２（３ＥＢ）を往復移動させる。
【００２３】
距離空間（４Ａ）内に変速機（１７）を設けて中心軸（５）を介して回転排気扇（４）と変速機（１７）と回転排気扇（４）とを接続し、排気速度や排気圧に応じ、風回転扇（２）の回転速度が遅い場合、速い場合に回転排気扇（４）の回転が所定の回転数内に収まるように増速や減速を可能にする。風扇磁石（２ＢＡ）や風扇コイル（２ＢＤ）及び覆輪環磁石（３ＢＡ）や覆輪環コイル（３ＢＤ）と相俟って、電動機や発電機にしエネルギー消費を低減する。更に中心軸（５）の上流端部に軸受（１８）を付け、その直上流に冷却函（１９）を設けて冷媒を循環させる。冷媒循環用管と支持材（１２）とを兼用にする。
【００２４】
風扇磁石（２ＢＡ）や風扇コイル（２ＢＤ）及び覆輪環磁石（３ＢＡ）や覆輪環コイル（３ＢＤ）と相俟って発電機や電動機して両用動作をさせる。機械的、電気的動作方法は風圧制御環（３ＡＢ）や全覆（３Ｃ）や方向舵（７）等の所定の位置にピトー管（１４）を取付け、ピトー圧を機械的又は電気的に可変抵抗器（１６）や正逆電気接点（１５）に接続し、然る後可逆電動機（１３）を作動させ被機器を動作させる。
【００２５】
図１に対する説明をする。本願の立体斜視図である。風圧制御環（３ＢＦ）は定位置にあり、露出した風回転扇（２）は風を受けて回転する。右回転の参考図である。風回転扇（２）の上下端には、風扇外周枠（２Ｂ）が取付けられ、風扇外周枠（２Ｂ）の外周には風扇磁石（２ＢＡ）、風扇コイル（２ＢＤ）が取付けられる。
【００２６】
図２について説明をする。図１の正面図を示す。外気は左右何れかから風回転扇（２）に平行して流れる。排気は図の下方向から流れ、図の下方向が上流側で、図の上方向が排気の下流側である。風回転扇（２）の上下端には、風扇外周枠（２Ｂ）が設けられ風扇外周枠（２Ｂ）の外周には風扇磁石（２ＢＡ）、風扇コイル（２ＢＤ）が取付けられる。中心軸の上流端部には軸受（１８）が設けられ直上流に冷却函（１９）を装着して冷媒を循環させる。
【００２７】
図３について説明をする。請求項１に記す風回転線（２）の風受け羽（２Ａ）の立体参考図を示す。湾曲板状の参考例である。風扇外周枠（２Ｂ）が設けられ風扇外周枠（２Ｂ）の外周には風扇磁石（２ＢＡ）、風扇コイル（２ＢＤ）が所定の個数取付けられる。
【００２８】
図４について説明をする。本発明の請求項２に記す排気促進装置である風回転扇の一枚の底板（８）に椀状の風受け羽（２Ａ）を設けた立体参考図を示す。椀状の風受け羽（２Ａ）の外周には風扇外周枠（２Ｂ）が設けられ風扇外周枠（２Ｂ）の外周には風扇磁石（２ＢＡ）、風扇コイル（２ＢＤ）が所定の個数取付けられる。
【００２９】
図５について説明をする。請求項３に記す覆輪環（３）の立体参考図を示す。覆輪環（３）内に風回転線（２）が収まる。覆輪環内側面（３ＡＡ）には覆輪環磁石（３ＢＡ）覆輪環コイル（３ＢＤ）が所定の個数取付けられ、強風時には発電機にし、無風や微風で風回転扇（２）が回転しない時は電動機となり、００２５段，００２６段、００２７段と相俟って両用にする。覆輪環磁石（３ＢＡ）や覆輪環コイル（３ＢＤ）は風扇磁石（２ＢＡ）、風扇コイル（２ＢＤ）と対抗して取付けられる。
【００３０】
図６について説明をする。請求項４に記す風圧制御環（３ＡＢ）の立体参考図をしめす。風圧制御環（３ＡＢ）内にこの覆輪環（３）及び風回転線（２）が収まる。
【００３１】
図７について説明をする。請求項５に記す全覆（３Ｃ）は風圧制御環（３ＡＢ）の代替である。風圧制御環（３ＡＢ）の代わりに、全覆（３Ｃ）内に覆輪環（３）及び風回転線（２）を収め、外気取入口（３Ｅ）を中心線から偏芯させる。この図は右よりにしてある。中央から左右に開く観音開きの扉（３ＥＡ）か片開きにして任意の数を設けて風圧や風力の強弱に応じて風回転扇（２）の回転を制御する。風圧が弱い時は全開にし、強い時は扉（３ＥＡ）を閉じる等外気取入口（３Ｅ）の面積を増減動作をさせる立体参考図を示す。  
【００３２】
図８について説明をする。請求項５に記す第二の全覆（３ＣＡ）の参考例である。図７は開き戸なるも、図８では引き戸の扉２（３ＥＢ）にし、全覆（３Ｃ）の所定の位置に図の如く外気の流れる平行方向、第二の全覆（３ＣＡ）の上流端及び下流端に平行して所定の長さの軌道（３Ｄ）を設けて、扉２（３ＥＢ）を挟み込み、可逆電動機（１３）や油圧機器等を用いて風圧、風力の強弱に応じて左右移動動作をさせ、外気取入口（３Ｅ）の断面積を増減させる立体参考図を示す。
【００３３】
図９について説明をする。
図（ａ）は船舶の煙突（排気管）に取付けた参考図を示す。
図（ｂ）は船舶や外燃機関や機関車、建設機械等の排気管に固定取付け、支持材（１２）と冷媒循環管とを兼用にした参考図を示す。
図（ｃ）は請求項４及び請求項６の可逆電動機（１３）の機械的、電気的動作の参考図を示す。
【産業上の利用可能性】
【００３４】
船舶用、発電用、産業用、自動車用その他の汎用原動機及び燃焼機器。
【符号の説明】
【００３５】
１        排気管
１Ａ      排気排出口
２        風回転扇
２Ａ      風受け羽
２ＡＡ    風受面
２Ｂ      風扇外周枠
２ＢＡ    風扇磁石
２ＢＤ    風扇コイル
３        覆輪環
３ＡＡ    覆輪環内側面
３ＡＢ    覆輪環支持材
３ＡＣ    誘軌道
３ＢＡ    覆輪環磁石
３ＢＤ    覆輪環コイル
３ＢＦ    風圧制御環
３Ｃ      全覆
３Ｄ      軌道
３Ｅ      外気取入口
３ＥＡ    扉
３ＥＢ    扉２
３Ｆ      外気排出口
４        回転排気扇
４Ａ      距離空間
４Ｂ      遠心羽  
４Ｃ      遮熱板
４ＣＡ    外気通過口
５        中心軸
５Ａ      冷気吸入孔
５Ｂ      冷気噴出孔
７        方向舵
８        底板
９        冷媒供給口
１０      冷媒排出口
１１      可逆電動機
１２      支持材
１３      可逆電動機
１３Ａ    円形歯車
１３Ｂ    平板歯棒
１４      ピトー管
１５      正逆電気接点
１６      可変抵抗器
１７      変速機
１８      軸受
１９      冷却函
【図１】
2018159373.tif 000003
【図２】
2018159373.tif 000004
【図３】
2018159373.tif 000005
【図４】
2018159373.tif 000006
【図５】
2018159373.tif 000007
【図６】
2018159373.tif 000008
【図７】
2018159373.tif 000009
【図８】
2018159373.tif 000010
【図９】
2018159373.tif 000011
【手続補正書】
【提出日】平成29年4月21日(2017.4.21)
【手続補正１】
【補正対象書類名】明細書
【補正対象項目名】００１７
【補正方法】変更
【補正の内容】
【００１７】
請求項３に対する説明をする。風回転扇（２）の外周には所定の間隙を置いて環状形状の覆輪環（３）を必要数設ける。該覆輪環（３）の構造は風回転扇（２）の風扇外周枠（２Ｂ）外周端と対向する面を覆輪環内側面（３ＡＡ）とし、該覆輪環内側面（３ＡＡ）には覆輪環磁石（３ＢＡ）か覆輪環コイル（３ＢＤ）を装着し、風圧や風力が低く風回転扇（２）が所定の回転数を得られない場合、通電励磁により電動機にし、風圧が高く風回転扇（２）が過回転になる場合、風扇磁石（２ＢA）にも通電励磁し発電機として用い、電動機としても使える両用にする。  
【手続補正２】
【補正対象書類名】特許請求の範囲
【補正対象項目名】全文
【補正方法】変更
【補正の内容】
【特許請求の範囲】
【請求項１】
排気管の後端部の所定の位置に中心軸を有して回転する遠心式の排気扇を回転排気扇として設け、回転排気扇の下流に外気の風圧を受けて回転する複数の風受け羽から成る風回転扇を設け、風受け羽の外周には風扇外周枠が設けられ、風扇外周枠や風受け羽の外周の所定の位置に風扇磁石か風扇コイルを装着した風回転扇を中心軸に連結固定することを特徴とする排気促進装置。
【請求項２】
風回転扇の構造は、一枚の底板の下流側上面に風受け羽を複数個付けて風回転扇とし、底板の外周や風受け羽の端部や風扇外周枠の所定の位置に風扇磁石または風扇コイルを装着することを特徴とする請求項１に記載の排気促進装置。
【請求項３】
風回転扇の外周には所定の間隙を置いて環状形状の覆輪環を設け、該覆輪環の構造は風回転扇の風扇外周枠外周端と対向する面を覆輪環内側面とし、該覆輪環内側面には覆輪環磁石または覆輪環コイルを装着することを特徴とする請求項１または請求項２に記載の排気促進装置。
【請求項４】
覆輪環内側面の反対面側に風回転扇の全周を覆ったり、露出したりする所定の厚みと幅とを有する風圧制御環を設け、外気の風圧の強弱に応じて回転する風回転扇の回転速度に応じて風圧制御環を覆輪環及び風回転扇を所定の位置に移動させることを特徴とする請求項３に記載の排気促進装置。
【請求項５】
覆輪環及び風回転扇を覆う全覆の外周面の所定の位置に方向舵を取付け、全覆の外周面の方向舵の反対側の外周面の所定の面積を開口して外気取入口とし、方向舵の側の外周面の所定の面積を外気排出口として開口し、外気取入口に扉を取付けて風圧に応じて開閉動作をさせることを特徴とする請求項３または請求項４に記載の排気促進装置。
【手続補正書】
【提出日】平成29年7月5日(2017.7.5)
【手続補正１】
【補正対象書類名】特許請求の範囲
【補正対象項目名】請求項４
【補正方法】変更
【補正の内容】
【請求項４】
覆輪環内側面の反対面側に風回転扇の全周を覆ったり、露出したりする所定の厚みと幅とを有する風圧制御環を設け、外気の風圧の強弱に応じて回転する風回転扇の回転速度に応じて風圧制御環を覆輪環及び風回転扇に対して所定に位置に移動させることを特徴とする排気促進装置。
【手続補正２】
【補正対象書類名】特許請求の範囲
【補正対象項目名】請求項５
【補正方法】変更
【補正の内容】
【請求項５】
覆輪環及び風回転扇を覆う全覆の外周面の所定の位置に方向舵を取付け、全覆の外周面の方向舵の反対側の外周面の所定の面積を開口して外気取入口とし、方向舵の側の外周面の所定の面積を外気排出口として開口し、外気取入口に扉を取付けて風圧に応じて開閉動作をさせることを特徴とする請求項３に記載する排気促進装置。